(57)【要約】  トレモロ組立体が、ブリッジキャリアをすべり取付部の上に取り付けることによってギター上の弦張力を変調するために実行され、その前後の変位は、弦張力に対向する横方向カム実施支点片によって達成される。すべり取付部は、ブリッジ並進を弦平面に制限し、よって、全ての曲げ及び横方向弦力を解決する。その場合には、一組の付勢バネに対して弦の張力を同時に下向き及び上向きに変調するのに、前方及び後方に整列された手動レバーの組が有用である。
2007518139.tif 000002
【特許請求の範囲】
【請求項１】
本体と、ネックと、その上に配置された複数の弦とを含むギターであって、
各弦の個々の両端部と調節可能に係合するよう適合された後縁部の近傍の横方向突起と、前端部の近傍の軸受突起とを含むブリッジキャリアと、
前記本体に取り付け可能であり、且つ、長手方向に前記弦に沿った概ね直線的なすべり係合において前記ブリッジキャリアを前記取付部に固定するためのすべり手段を含む取付部と、
前記ブリッジキャリアの前記前端部に隣接して横方向に整列された旋回軸についての旋回運動のために配置され、且つ、その旋回結合後に前記軸受突起に対向するよう適合されたカム手段を含む、横方向に整列された支点構造と、
前記カム手段を前記軸受突起と接触するよう付勢するために、前記本体と前記支点構造との間に接続されたバネ付勢手段と、
前記支点構造から片持ちにされ、且つ、その手動結合のために配置されたレバー手段とを含むことを特徴とする、
ギター。
【請求項２】
前記カム手段は、前記支点構造の前記旋回軸に対する半径長で調節可能な概ね放射状の突起を含む、
請求項１に記載の装置。
【請求項３】
本体と、ネックと、その上に配置された複数の弦とを含むギターであって、
各弦の個々の両端部と調節可能に係合するよう適合された後縁部の近傍の横方向突起と、前端部の近傍の軸受突起とを含むブリッジキャリアと、
前記本体に取り付け可能であり、且つ、長手方向に前記弦に沿った概ね直線的なすべり係合において前記ブリッジキャリアを前記取付部に固定するためのすべり手段を含む取付部と、
前記ブリッジキャリアの前記前端部に隣接して横方向に整列された旋回軸についての旋回運動のために配置され、且つ、その旋回結合後に前記軸受突起に対向するよう適合されたカム手段を含む、横方向に整列された支点構造と、
前記カム手段を前記軸受突起と接触するよう付勢するために、前記本体と前記支点構造との間に接続されたバネ付勢手段と、
前記支点構造から片持ちにされ、且つ、その手動結合のために配置されたレバー手段とを含み、
前記カム手段は、前記支点構造の前記旋回軸に対する半径長で調節可能な概ね放射状の突起を含み、
前記レバー手段は、前記ブリッジキャリアの前記前縁部及び前記後縁部に隣接してそれぞれ延びる、前記支点構造から片持ちにされた第一レバーと第二レバーとを含むことを特徴とする、
ギター。
【請求項４】
前記取付部、前記支点構造、及び、前記バネ付勢手段は、前記ギター本体内に収容される、
請求項３に記載の装置。
【請求項５】
前記支点構造は、鋭い先端部をそれぞれ備える横方向延長部を含み、
前記本体は、各横方向延長部上の前記先端部の１つに対向して係合するようそれぞれ適合された一対の横方向に離間した垂直ポストを含む、
請求項４に記載の装置。
【請求項６】
前記ポストは、それぞれそれらの延長部でネジ調節可能である、
請求項５に記載の装置。
【請求項７】
ギター弦の端部をギターの本体に係合するブリッジと置換する配置のために適合されるトレモロ組立体であって、
前縁部及び後縁部と、前記ギター弦の各１つの両端部と動作的に係合するために適合された前記後縁部の近傍で前記キャリアの平面を越えて延びる横方向突起と、前記前縁部上に形成された直交して整列された軸受面とを含む概ね平面的なブリッジキャリアと、
前記ギター弦に沿ったすべり並進のために前記ブリッジキャリアを支持するよう係合されたスライドを配置された前記置換されたブリッジと概ね整列して前記ギター本体に取り付けられたスライド組立体と、
前記旋回運動の一部に沿って前記軸受面と対向するよう前記旋回軸を越えて放射状に延びるカム突起を含む、前記ギター本体上の横方向旋回軸の周りでの旋回運動のために旋回的に取り付けられた支点片と、
前記カム手段を前記軸受面と接触するよう付勢するために、前記本体と前記支点片との間に接続された付勢バネ手段と、
前記支点片から片持ちにされ、且つ、その手動結合のために配置されたレバー手段とを含む、
トレモロ組立体。
【請求項８】
前記カム突起は、前記支点片の前記旋回軸に対する放射長でネジ調節可能な放射状の突起を含む、
請求項７に記載の装置。
【請求項９】
ギター弦の端部をギターの本体に係合するブリッジと置換する配置のために適合されるトレモロ組立体であって、
前縁部及び後縁部と、前記ギター弦の各１つの両端部と動作的に係合するために適合された前記後縁部の近傍で前記キャリアの平面を越えて延びる横方向突起と、前記前縁部上に形成された直交して整列された軸受面とを含む概ね平面的なブリッジキャリアと、
前記ギター弦に沿ったすべり並進のために前記ブリッジキャリアを支持するよう係合されたスライドを配置された前記置換されたブリッジと概ね整列して前記ギター本体に取り付けられたスライド組立体と、
前記旋回運動の一部に沿って前記軸受面と対向するよう前記旋回軸を越えて放射状に延びるカム突起を含む、前記ギター本体上の横方向旋回軸の周りでの旋回運動のために旋回的に取り付けられた支点片と、
前記カム手段を前記軸受面と接触するよう付勢するために、前記本体と前記支点片との間に接続された付勢バネ手段と、
前記支点片から片持ちにされ、且つ、その手動結合のために配置されたレバー手段とを含み、
前記カム突起は、前記支点片の前記旋回軸に対する半径長でネジ調節可能な放射状の突起を含み、
前記レバー手段は、前記キャリアの前記前縁部及び前記後縁部に隣接してそれぞれ延びるよう、前記支点片から片持ちされた第一レバー及び第二レバーを含む、
トレモロ組立体。
【請求項１０】
前記取付部、前記支点片、及び、前記バネ付勢手段は、前記ギター本体内に収容される、
請求項９に記載の装置。
【請求項１１】
前記支点構造は、鋭い先端部をそれぞれ備える横方向延長部を含み、
前記本体は、各横方向延長部上の前記先端部の１つに対向して係合するようそれぞれ適合された一対の横方向に離間した垂直ポストを含む、
請求項１０に記載の装置。
【請求項１２】
前記ポストは、それぞれそれらの延長部でネジ調節可能である、
請求項１１に記載の装置。
【請求項１３】
ギター本体に亘って延びるギター弦の弦張力を同時に変調するための装置であって、
前縁部及び後縁部と、前記ギター弦の各１つの両端部と動作的に係合するために適合された前記後縁部の近傍で前記キャリアの平面を越えて延びる横方向突起と、前記前縁部上に形成された直交して整列された軸受面とを含む概ね平面的なブリッジキャリアと、
前記ギター弦に沿ったすべり並進のために前記ブリッジキャリアを支持するよう、前記本体と前記キャリアとの間に介装されたスライド組立体と、
前記キャリアの前記前縁部の近傍で前記ギター本体上の旋回軸の周りの旋回運動のために旋回的に取り付けられた支点片と、
前記カム手段を前記軸受面と接触するよう付勢するために、前記本体と前記支点片との間に接続された付勢バネ手段と、
前記支点片から片持ちにされ、且つ、その手動結合のために配置されたレバー手段とを含み、
前記支点片は、前記旋回運動の一部に沿って前記軸受面と対向するよう前記旋回軸を越えて放射状に延びるカム突起を含む、
トレモロ組立体。
【請求項１４】
前記カム突起は、前記支点片の前記旋回軸に対する半径長でネジ調節可能な放射状の突起を含む、
請求項１３に記載の装置。
【請求項１５】
ギター本体に亘って延びるギター弦の弦張力を同時に変調するための装置であって、
前縁部及び後縁部と、前記ギター弦の各１つの両端部と動作的に係合するために適合された前記後縁部の近傍で前記キャリアの平面を越えて延びる横方向突起と、前記前縁部上に形成された直交して整列された軸受面とを含む概ね平面的なブリッジキャリアと、
前記ギター弦に沿ったすべり並進のために前記ブリッジキャリアを支持するよう、前記本体と前記キャリアとの間に介装されたスライド組立体と、
前記キャリアの前記前縁部の近傍で前記ギター本体上の旋回軸の周りの旋回運動のために旋回的に取り付けられた支点片と、
前記カム手段を前記軸受面と接触するよう付勢するために、前記本体と前記支点片との間に接続された付勢バネ手段と、
前記支点片から片持ちにされ、且つ、その手動結合のために配置されたレバー手段とを含み、
前記支点片は、前記旋回運動の一部に沿って前記軸受面と対向するよう前記旋回軸を越えて放射状に延びるカム突起を含み、
前記カム突起は、前記支点片の前記旋回軸に対する半径長でネジ調節可能な放射状の突起を含み、
前記レバー手段は、前記キャリアの前記前縁部及び前記後縁部に隣接してそれぞれ延びるよう、前記支点片から片持ちされた第一レバー及び第二レバーを含む、
トレモロ組立体。
【請求項１６】
前記取付部、前記支点片、及び、前記バネ付勢手段は、前記ギター本体内に収容される、
請求項１０に記載の装置。
【請求項１７】
前記支点構造は、鋭い先端部をそれぞれ備える横方向延長部を含み、
前記本体は、各横方向延長部上の前記先端部の１つに対向して係合するようそれぞれ適合された一対の横方向に離間した垂直ポストを含む、
請求項１６に記載の装置。
【請求項１８】
前記ポストは、それぞれそれらの延長部でネジ調節可能である、
請求項１７に記載の装置。
【請求項１９】
前記ポストは、前記先端部の対応する１つを収容するよう適合されたピンチ区画を含む、
請求項１８に記載の装置。
【発明の詳細な説明】
【技術分野】
【０００１】
本発明は、ギター上の弦のピッチを変調するのに有用なトレモロ装置に関し、より具体的には、トレモロバーの動作に対応して個々の調節可能な弦終端の配列の直線変調を可能にするトレモロ組立体に関する。
【背景技術】
【０００２】
豊かな音調パターンを生み出すために、個々の音が複雑なビート及び調和で他の同時発生する音と組み合わせる小さなピッチ変調によって変えられるとき、音楽の演奏はより心地良いと分かることが多い。ポピュラー音楽において、このピッチ変調を得る便利さは極めて望ましい設備であり、ギターのような弦楽器は、この効果の便利な演奏のために、過去に幾つかの機械に関する発展を有した。しかしながら、この効果の演奏は実質的な手動の設備を必要とし、それは機構自体の単純化を招き、その結果、殆どの場合、全ての弦を同時に変調する構造を招いた。時間及び経験と共に、これらの変調によって得られる音の豊かさは、何らかのさらなる改良の問題となり、目的達成に関与する者は、各偏位に亘る精密な調節制御を伴った、選択された音調から上方及び下方の両方への選択的変調の設備を望んでいる。
【０００３】
ギターのピッチを手動で変調するための装置の過去の開発は、今や「トレモロ」と呼ばれる独自の命名を得るところまで広範であり、Ｆｅｎｄｅｒに発効した米国特許第２，７４１，１４６号の教示内に、そのような機構の１つの早期の実施例を見い出し得る。この及び類似のトレモロ機構は、弦ブリッジ近傍の横凹部内に支持され、且つ、バネ付勢に対するトレモロバーとして既知の片持ちバーの手動結合によって旋回され、それによって、弦の緊張対比、よって、ピッチを変調する旋回構造を特徴とする。それ以来、Ｂｏｒｉｓｏｆｆに発効した米国特許第６，０１５，９４５号、Ｌｅｅに発効した米国特許第６，０８４，１６６号、Ｓｃｈａｌｌｅｒ，  ｅｔ  ａｌ．に発効した米国特許第５，７８３，７６３号、及び、その他によって例示されるように、この一般的な構成の様々な変調が開発されている。これらの目的に適してはいるが、この性質の意図される装置は、付勢バネに対する共通横構造の旋回運動に依存し、よって、その結果、それへの曲げ応力の反復的適用を誘発する弦接点を招く。この変位の旋回中心は、弦接点と戻りバネとの間の均衡によって決定されるので、結果として生じる平衡接触位置は不十分に定められ、従って、楽器の同調精度はしばしば妥協される。その上、この同一接点の不正確さは、様々な弦が旋回中心に対して調節される可変な高さによって悪化され、その結果、各弦のトレモロ偏位における結果として生じる変化を引き起こす。接触不正確性は、弦振動を制動する傾向があり、音符が「持続」される時間の長さを減少し、結果として生じる如何なる個々の弦調節の欠如も、演奏者の指と個々の弦との間の相互作用のための如何なる効果的な調節をもさらに低減する。従って、トレモロ偏位の精密な調節を可能にすると共に、各個別の弦の完全な調節制御に適合させる直線トレモロ機構が広範に望まれており、ここに開示されているのは１つのそのような機構である。
【発明の開示】
【発明が解決しようとする課題】
【０００４】
よって、複数の個別に片持ちされたトレモロバーの任意の１つの手動結合に応答して直線的に並進され得るブリッジキャリアを提供することが、本発明の一般的な目的及び対象である。
【０００５】
本発明の他の目的は、弦ブリッジキャリアの直線変位によって、ギターの全ての弦のピッチを変調するためのトレモロ機構を提供することである。
【０００６】
本発明のさらに他の目的は、単一のネジを進めることによってトレモロ偏位が便利に調節されるギターのためのトレモロ機構を提供することである。
【０００７】
本発明のさらに追加的な目的は、弦楽器のブリッジを支持するキャリアの直線的な並進によってもたらされるトレモロ機構を提供することである。
【課題を解決するための手段】
【０００８】
簡潔に、これらの及び他の目的は、ギター表面内の中心キャビティの周りに形成される周辺凹部内での長手動作のために収容される概ね平面的なブリッジキャリアによって定められるギター内に形成されるブリッジ凹部内に装着される直線的トレモロ機構を提供することによって、本発明内で達成される。この前後のキャリア動作は、同様にキャリアの縁部と係合するこの中心ベースキャビティ内に固定されるベース片の縁部上の長手スライドによって固定される。次に、個別の弦の端部固定具によってキャリア外部に結合される全ての弦両端部は、キャリアの前後動作に従って同時にシフトされ、それらの動作方向に従って張力、よって、弦のピッチを変調する。この直線動作を誘発するために、前後トレモロバーは、キャリアの前縁部に対向する調節可能に拡張されたカムを結合するために、調節可能なナイフ縁部枢軸上のブリッジキャリアの前に配置されるバネ付勢横方向支点片の１つの端部から片持ちされる。
【０００９】
当業者は、この新規な構成が、増大及び減少ピッチ変調の双方を開発すると同時に、正確に調節可能な押込み点のための極めて正確なナイフ縁部枢軸支点を提供するのに特に効果的であることを理解するであろう。その上、すべりキャリアの緊密に制御された直線変位は、事前選択された弦同調を保持する点で機構全体をより正確にすると共に、弦の如何なるさらなる反復的な曲げ、時には、破壊も制限する。
【発明を実施するための最良の形態】
【００１０】
図１乃至５に示されるように、概ね番号１０によって指し示される発明的なトレモロ機構は、ギター弦ＧＳが、ネックＮＣに亘って延びるよう、１つ又はそれ以上のピックアップＰＵ上に伸張される弦ブリッジによって普通占められる場所で、ギターＧＴの本体ＢＤ内に装着される。機構を収容するために、ギター本体ＢＤは、周辺凹部１２によって部分的に取り囲まれた概ね矩形のベースキャビティ１１を含むよう変更され、次に、ベースキャビティ１１は、ネジ付き締結具１６，１７によって所定位置に固定される適合する矩形ベース片１５を収容する。次に、概ね平面的なブリッジキャリア２０が、ベース片１５上で、凹部１２内に位置付けられ、対応する平行スライド２５ｌ，２５ｒの内側部分を収容するよう、ベース片１５の対向する長手縁部１５ｌ，１５ｒの双方には凹部が設けられ、その外側部分は、ストリップ２２ｌ，２２ｒによって、キャリア２０の各横方向縁部に取り付けられる。このようにして、キャリア２０は、すべり並進のために、ギター本体ＢＤ内に係合され、その横方向後端部で、弦ＧＳの数及び間隔に対応する数及び間隔の開口２１ｐの配列に穿孔された上向きに同調されたリップ２１を変位する。次に、これらの開口２１ｐの各１つは、弦ＧＳの各個別の端部を固定する端部ブロック２３に螺合されたスクリュ２１ｓを受容する。
【００１１】
前方縁部に、ブリッジキャリア２０は、前キャビティ１１内に形成された横キャビティ１３内で旋回するよう配置された支点片３０に螺入される調節可能スクリュ３１のカム又はボール端部３１ｂと対向して整列された上向きに延びる軸受面２４を備える。その場合には、片３０の旋回支点は、その左側の前縁部３２ｌ及び右側の前縁部３２ｒによって決定され、それぞれは、２つのネジ付き支点ポスト３３ｌ、３３ｒの対応する減少断面部分内の胴ピンチ内に収容される前方向きナイフ縁部として形成される。次に、横方向バネ付勢アーム３５が、支点片３０の後面に片持ちで取り付けられ、内部の複数の付勢バネ３６と係合するよう、キャビティ１３の内部に延びる。よって、弦ＧＳの同調張力及び付勢バネ３６の同調張力は、ブリッジキャリア２０及び支点片３０の双方を前方に引き、キャリア３０の前方並進は、ボール端部３１ｂと軸受面２４との間の接触によって妨げられ、次いで、支点片の前方並進は、ナイフ縁部３２ｌ，３２ｒと対応するポスト３３ｌ，３３ｒとの間の接触によって制限される。
【００１２】
前記の構成は、ボール端部３１ｂの球面と軸受面２４の垂直平面との間の接点で、キャリア２０の全ての前後運動を解決することが理解されるであろう。その結果、この接触幾何は、キャリアの運動を水平面に本質的に固定し、それは長手スライド２５ｌ，２５ｒによってさらに制限され、それによって、弦ＧＳに対する全ての曲げ入力を排除する。その上、ボール端部３１ｂとナイフ縁部３２ｌ、３２ｒとの間の垂直間隔に対するアーム３５のレバー多重利点は、アーム３５から延びる前方片持ちトレモロバー３７及び後方トレモロバー３８によって、両方向における操作便宜を許容する。これらの片持ちバーの幾何学的多重は、演奏者から必要とされる手動力レベルをさらに一層低減する。
【００１３】
当業者であれば、この構成において、トレモロバーのそれぞれの操作によって達成されるキャリア運動の唯一及び実質的モードは、弦ＧＳの平面における直線運動であることを理解するであろう。よって、弦両端部は、それらの同調軸に正確に沿って同時に移動され、それらのピッチ変調に亘る精密制御を可能にし、機構に起因する音声の劣化又は損失がない。その上、この機構の中立地点は、ボール端部３１ｂと表面２４との間の硬いカム界面で展開され、硬い界面は、同調を正にし且つ固定させる。その場合には、さらなる同調精度は、ポスト３３ｌ，３３ｒ上の胴凹部内の縁部セグメント３２ｌ，３２ｒのナイフ縁部接触によって得られ、ポスト３３ｌの胴をノッチ内に捕捉することによって全ての横方向力成分を固定し且つ解決するために、１つの縁部セグメント３２ｌは、ノッチ付き平面図形として形成される。
【００１４】
当業者であれば、ボール端部３１ｂとその対向する表面２４との間のカム界面を、旋回結合を直線変位に解決する類似の機構によって、多様に実施し得ることをさらに理解するであろう。しかしながら、各場合において、演奏の際における効果的な使用のために必要な精度をもたらすのは、組立の便宜及び硬い良好に固定された接触である。さらに、各弦の高さを成業するための止めネジ対２３ｓを含め、個々の端部ブロック２３の夫々の完全な調節の便宜が保持される。このようにして、演奏者によって望まれる全ての同調及び調節機能が、トレモロ操作にも適合する機構内に保持される。
【００１５】
弦ＧＳの全ての張力が一端解放されると、前述の機構はギターを調節し或いは修理する際に特に便宜であることが理解されよう。このような状態で、付勢アーム３５は、ポスト３３ｌ，３３ｒを備える縁部３２ｌ，３２ｒの界面によって形成されるナイフ縁部旋回軸の周りで自由に旋回し、付勢バネ３６の張力を解放し、支点組立体の分解を可能にする。一旦支点機構が除去されると、キャリア２０をベース片から分離することによって、完全な検査、修理、及び、調節を可能にする完全な分離を遂行し得る。これらの便宜は、演奏前に楽器の音質を最適化するために必要な制御を探求する演奏者にとって特に顕著である。よって、最適な音生成を探求する者に特に有用な、簡単且つ効果的な機構が提供される。
【００１６】
即座に開示された本発明の精神から逸脱せずに、多くの変更及び変形が明らかに可能である。従って、本発明の範囲は、添付の請求項によって単独で決定されることが意図されている。
【図面の簡単な説明】
【００１７】
【図１】ギターの弦の上方及び下方ピッチ変調をもたらすために、発明的な直線的に偏位されるブリッジキャリアを備えるギターを示す正面図である。
【図２】発明的なブリッジキャリア及びその結合機構を部材によって分離して示す斜視図である。
【図３】発明的なブリッジキャリアの調節及び操作の側面を詳細に示す平面図である。
【図４】図３の線４−４に沿って取られた側面を詳細に示す断面図である。
【図５】図３の線５−５に沿って取られた端面を詳細に示す断面図である。
【図１】
2007518139.tif 000003
【図２】
2007518139.tif 000004
【図３】
2007518139.tif 000005
【図４】
2007518139.tif 000006
【図５】
2007518139.tif 000007
【国際調査報告】
2007518139.tif 000008